(57)【特許請求の範囲】
【請求項１】
表面に縦目地及び横目地を形成した外壁板の縦方向を目地材を介して連設する外壁板の目地構造において、該縦目地及び横目地の目地底に凹凸模様を形成し、且つ横目地の目地底の凹凸模様が縦目地の目地底の凹凸模様より高く形成した外壁板を用いて、該外壁板間の縦方向を目地材を介して連設することを特徴とする外壁板の目地構造。
【請求項２】
上記目地材にハット型ジョイナーを用い、露出面にシーリング材を充填することを特徴とする請求項１記載の外壁板の目地構造。
【請求項３】
縦目地及び横目地を形成した外壁板本体の縦目地及び横目地の目地底に凹凸模様を形成し、且つ横目地の目地底の凹凸模様が縦目地の目地底の凹凸模様より高く形成したしたことを特徴とする外壁板。
【発明の詳細な説明】
【０００１】
【発明の属する技術分野】
本発明はセメント板や珪酸カルシウム板、パルプセメント板等でできた外壁板及びこの外壁板の目地構造に関するものである。
【０００２】
【従来の技術】
従来、特開平１０-１５２９６６号のように外装材の目地構造及び外装材の施工構造が開示されている。これは表面にタイルやレンガ状の疑似目地を形成した外装材の場合は、疑似目地と板材間の目地との差異を小さくして、その外観を目立たなくして意匠性を高めるために、板材表面の疑似目地を板材間の目地幅に対応した幅に形成したものである。
【０００３】
このような技術では、疑似目地に凹凸模様が設けられていないので、太陽光線の加減で疑似目地や板材間の目地に影が出たり、目地内部の光線が乱反射して統一性の有る目地構造ができにくいという問題があった。
【０００４】
【発明が解決しようとする課題】
本発明は上記問題点の解決を目的とするものであり、縦目地と横目地の目地底の凹凸模様高さを変えることで、縦目地がシーリング目地と同様の外観となり、この壁面全体が違和感のない外壁板及びこの外壁板の目地構造を提供することにある。
【０００５】
【課題を解決するための手段】
本発明の請求項１記載の外壁板の目地構造は、表面に縦目地及び横目地を形成した外壁板の縦方向を目地材を介して連設する外壁板の目地構造において、該縦目地及び横目地の目地底に凹凸模様を形成し、且つ横目地の目地底の凹凸模様が縦目地の目地底の凹凸模様より高く形成した外壁板を用いて、該外壁板間の縦方向を目地材を介して連設することを特徴とする。
【０００６】
したがって、縦目地と横目地の目地底の凹凸模様高さを予め変えることで、外壁板の縦目地がシーリング目地と同様の外観となり、この壁面全体が違和感のない外壁板の目地構造を形成することができる。
【０００７】
本発明の請求項２記載の外壁板の目地構造は、請求項１記載の目地材にハット型ジョイナーを用い、露出面にシーリング材を充填することを特徴とするものである。
【０００８】
したがって、外壁板の縦目地と外壁板間の縦方向のシーリング目地材とが影もなく違和感のない目地構造が簡単に作ることができる。
【０００９】
本発明の請求項３記載の外壁板は、縦目地及び横目地を形成した外壁板本体の縦目地及び横目地の目地底に凹凸模様を形成し、且つ横目地の目地底の凹凸模様が縦目地の目地底の凹凸模様より高く形成したしたことを特徴とする。
【００１０】
したがって、外壁板として、予め横目地の目地底の凹凸模様が縦目地の目地底の凹凸模様より高く形成されているので、外壁板間の目地材との目地構造を違和感なく簡単に形成することができる。
【００１１】
【発明の実施の形態】
図１乃至図５は、請求項１〜３に係る発明に対応する一実施例の形態を示し、この実施形態の外壁板及びその外壁板の目地構造を以下に示す。
【００１２】
図１乃至図３において、本発明の外壁板Ａは、セメント板や珪酸カルシウム板、パルプセメント板等でできた矩形状をした外壁板本体１の表面２に縦目地３及び複数本の横目地４を形成し、この横目地４の目地底の凹凸模様５ａが縦目地３の目地底の凹凸模様5ｂより高く形成したしたものである。
【００１３】
このとき、縦目地３は外壁板本体１の表面２の中央部に１本設けられ、溝幅が施工時に用いられるアルミニウム、鉄板等の金属製や合成樹脂製の長尺状のハット型ジョイナー等の目地材６の露出面８の幅と同じになるように設計すれば良いものである。又、横目地４は、複数本を等間隔で且つ溝幅も同じくして配設される。通常、縦目地３の溝幅は、８〜２０ｍｍ、深さ５〜８ｍｍである。横目地４の溝幅は、８〜２０ｍｍ、深さ５〜８ｍｍである。凹凸模様５は、梨地模様のような模様で形成され、この凹凸高さが、０．１〜３ｍｍ程度である。
【００１４】
上記外壁板Ａを用いた目地構造は、図４及び図５に示したように、外壁板Ａ１と外壁板Ａ２とを横目地４を目地が通るように配設し、この外壁板Ａ１と外壁板Ａ２との側端部を長尺状のハット型ジョイナーからなる目地材６の水平片７，７上に載置し、このハット型ジョイナーからなる目地材６の露出面８にシーリング材９を充填して縦目地を形成するものである。この目地材６の水平片７，７は合板等の壁下地材１０に釘打ちされる。
【００１５】
このとき、外壁板本体１の表面２に横目地４の目地底の凹凸模様５ａが縦目地３の目地底の凹凸模様5ｂより高く形成されているので、横目地４の方が光の陰影が強くなり、深い溝のように現出され、縦目地３の方は、凹凸模様５ａが浅く形成されるので光の陰影が弱くなり、浅い溝のように現出される。又、外壁板Ａ１と外壁板Ａ２とからなる縦目地は、ハット型ジョイナーからなる目地材６の露出面８に上面が平坦となるようにシーリング材９を充填して縦目地を形成するので、縦目地は浅く形成されことで光の陰影が弱くなり、相対的に外壁板Ａに設けられている縦目地３と外壁板Ａ１及び外壁板Ａ２との縦目地間の間には、光による影響力が少なくなり、シーリング目地が浮き立たないように違和感のないものとなる。したがって、外壁板Ａの縦目地３がシーリング目地と同様の見栄えとなり、建物の壁面外観が一体にして見える外観にすることができる。
【００１６】
【発明の効果】
上述の如く、本発明の請求項１記載の外壁板の目地構造は、表面に縦目地及び横目地を形成した外壁板の縦方向を目地材を介して連設する外壁板の目地構造において、この縦目地及び横目地の目地底に凹凸模様を形成し、且つ横目地の目地底の凹凸模様が縦目地の目地底の凹凸模様より高く形成した外壁板を用いて、この外壁板間の縦方向を目地材を介して連設しているので、縦目地と横目地の目地底の凹凸模様高さを変えることで、外壁板の縦目地がシーリング目地と同様の外観となり、この壁面全体が違和感のない外壁板の目地構造を形成することができる。
【００１７】
本発明の請求項２記載の外壁板の目地構造は、ハット型ジョイナーを用い、露出面にシーリング材を充填するようにしているから、外壁板の縦目地と外壁板間の縦方向のシーリング目地材とが影もなく違和感のない目地構造が簡単に作ることができる。
【００１８】
本発明の請求項３記載の外壁板は、縦目地及び横目地を形成した外壁板本体の縦目地及び横目地の目地底に凹凸模様を形成し、且つ横目地の目地底の凹凸模様が縦目地の目地底の凹凸模様より高く形成しているので、外壁板として、予め横目地の目地底の凹凸模様が縦目地の目地底の凹凸模様より高く形成されているので、外壁板間の目地材との目地構造を違和感なく簡単に形成することができものである。
【図面の簡単な説明】
【図１】（ａ）は本発明の外壁板の一実施形態に係る正面図、（ｂ）は（ａ）の側面図である。
【図２】本発明の図１で示した外壁板の一部切欠した要部のＸ-Ｘ拡大断面図である。
【図３】本発明の図１で示した外壁板の一部切欠した要部のＹ-Ｙ拡大断面図である。
【図４】本発明の外壁板を用いて施工した状態を示す要部の縦断面図である。
【図５】本発明の外壁板を用いて施工した状態を示す要部の平面図である。
【符号の説明】
Ａ      外壁板
１      外壁板本体
２      表面
３      縦目地
４      横目地
５ａ    凹凸模様
５ｂ    凹凸模様
６      目地材（ハット型ジョイナー）
７      水平片
８      露出面
９      シーリング材
１０    壁下地材
【図１】
0003689353.tif 000002
【図２】
0003689353.tif 000003
【図３】
0003689353.tif 000004
【図４】
0003689353.tif 000005
【図５】
0003689353.tif 000006